(57)【特許請求の範囲】
【請求項１】
コンベアベルト支承用のローラを保持するホルダと、該ホルダに連結されて該ホルダ両側に位置するサイドローラと、前記ホルダをスタンドフレームに旋回可能に軸着する回転ブラケットとを有するコンベア調芯器において、前記ホルダの少なくとも一端側にキー穴列を有するキー穴列保有具を取付け、前記スタンドフレーム側に前記キー穴列保有具のキー穴に嵌まるキーを保持するキー保持具を取付けたことを特徴とするコンベア調芯器。
【発明の詳細な説明】
【０００１】
【発明の属する技術分野】
本発明は、コンベア調芯器に関する。
【０００２】
【従来の技術】
例えば製鉄所において鉄鉱石、石炭等の原料搬送に広く用いられているベルトコンベアには、ベルトの通常の蛇行を自動的に復元修正し、また、ベルトの異常な偏りに対しては一時凌ぎとしての強制的な舵取り（ステアリング）を可能とする、調芯器（コンベア調芯器) が設けられている。その従来例を図２に示す。
【０００３】
図２において、(a),(b) はキャリア側の調芯器を示す正面, 側面模式図、(c) はリターン側の調芯器を示す正面模式図である。調芯器は、キャリア側では、ベルト（コンベアベルト）１のキャリアローラ２を保持するホルダ（ローラホルダ）5aの幅中心部を回転ブラケット６でスタンドフレーム４と結合し、サイドローラ７をリンク８でホルダ5aと結合して該ホルダ5aの両側に配置し、リターン側では、ベルト１のリターンローラ３を保持するホルダ（ローラホルダ）5bの幅中心部を回転ブラケット６でスタンドフレーム４と結合し、サイドローラ７をリンク８でホルダ5bと結合して該ホルダ5bの両側に配置して構成されている。なお、９はベルトをキャリア側からリターン側へと転回させるプーリ（ベルトプーリ）、20,21 はキャリア側，リターン側のベルト進行方向である。
【０００４】
例えば図２(a) において、ベルト１が例えば右側に蛇行を始めると、右側のサイドローラ７がベルト１で押され、リンク８を介して回転ブラケット６によりホルダ5aをその右側が紙面奥側に向かう方向に水平旋回させて、ベルト１にかかる摩擦力を左方向に転回させるので、蛇行が自動的に修正される。この水平旋回の範囲は、例えば中立位置から±７°程度の旋回角度位置までの範囲に制限される。
【０００５】
一方、設備異常、搬送物変更および環境変化に起因して、上記の自動修正作用がうまく機能しなくなり、ベルトが左右何れかの側に偏ったままとなることが少なからずある。この異常偏り状態のまま原料搬送を行なうと、やがてはベルトの耳切れや切断、搬送物のこぼれや該こぼれのプーリへの噛込み、スタンドフレーム等へのベルト圧着によるベルト焼損などのトラブルを生じて搬送不能に陥り、高炉、焼結、コークスの各工程における生産性が阻害される。
【０００６】
そのため、ベルトの異常偏りが発生した場合には、休転工事までの一時凌ぎとして、キャリア側、リターン側の何れか一方または両方において調芯器のローラホルダを、異常偏りの打ち消しが可能となる旋回角度位置にロックするという対策（強制舵取り）がとられており、かかるロック方法として、従来一般に、「縛着」が採用されていた。縛着とは、例えばリターン側について図３に示すように、回転ブラケット６で支持されたホルダ5bの一端を、例えば８番線等の番線（針金）10でもってスタンドフレーム４の適当な個所に縛って繋ぐという至って素朴な方法である。ホルダ5bの旋回角度位置の調整は、番線10の繋ぎ長さを変えることによって行われる。
【０００７】
【発明が解決しようとする課題】
前記縛着によるコンベア調芯器の強制舵取り作業は、回転中のローラの近傍位置でローラホルダ端に番線を巻き付ける作業を含むため、安全上好ましくないという問題があった。この問題を解決し、強制舵取り作業の安全性を確保しうるコンベア調芯器を提供することが本発明の目的である。
【０００８】
【課題を解決するための手段】
前記目的を達成した本発明は、コンベアベルト支承用のローラを保持するホルダと、該ホルダに連結されて該ホルダ両側に位置するサイドローラと、前記ホルダをスタンドフレームに旋回可能に軸着する回転ブラケットとを有するコンベア調芯器において、前記ホルダの少なくとも一端側にキー穴列を有するキー穴列保有具を取付け、前記スタンドフレーム側に前記キー穴列保有具のキー穴に嵌まるキーを保持するキー保持具を取付けたことを特徴とするコンベア調芯器である。
【０００９】
【発明の実施の形態】
図１は、リターン側に適用した本発明例を示すもので、(a) は搬送方向正面模式図、(b) は(a) のAA矢視図、(c) は(b) のBB矢視図である。無論、キャリア側に対しても同様に適用しうる。なお、図１ではキャリア側の図示を省略した。
図示のように、本発明では、回転ブラケット６で旋回自在に支持されているローラホルダ５（本例ではリターン側のホルダ5b）の少なくとも一端側に、キー穴11列を有するキー穴列保有具12を取付けている。この取付け方法は、溶接、ボルト止めなどの何れも好ましく用いうる。本例ではキー穴列保有具12の取付け部位をホルダ５の一端側としているが、両端側としても一向にかまわない。また、キー穴11の列方向はローラ旋回方向22にとった（図１(c))。こうしておけば、列内のどのキー穴11も、同一旋回軌道上の定点に配置した１つのキーで位置合わせの手間がかからず固定することができて好ましい。キー穴11のピッチや個数は、強制舵取り時の旋回角度位置設定実績等を基に適宜決定しうる。なお、本例ではキー穴列を１列としているが、２列以上としてもかまわない。また、キー穴列保持具12には、ローラホルダの強制旋回を安全かつ容易に行えるように、ハンドル13を設けた（図１(b),(c))。
【００１０】
一方、スタンドフレーム４側には、ホルダ５両端の少なくとも何れか一端側に位置するキー穴列保有具12のキー穴11に嵌まるキー14を保持するキー保持具16を取り付けている。この取付け方法は、溶接、ボルト止めなどの何れも好ましく用いうる。なお、キー穴列を２列以上とした場合には、列数と同数のキーを各列に１つずつ対応させて保持するのが好ましい。本例では、キー14の保持機構は、キー14にキーレバー15を設け、キー保持具16にΓ字型穴状のキーストッパ17と上下２枚のキー摺動穴付板状のキーガイド18とを設けて、キーレバー15をキーストッパ17のΓ字型穴に通し、キー14をキーガイド18のキー摺動穴に通して構成した（図１(a),(b))。
【００１１】
本発明のコンベア調芯器は、例えば以下のような要領で操作するのが好適である。
ベルトの通常の蛇行を自動修正する場合、キーレバー15をキーストッパ17のΓ字型穴上端側に預けておく。これにより、キー14がキー穴11から抜けた状態で保持され、ホルダ５は回転ブラケット６を中心軸として自由に旋回できる。
【００１２】
一方、ベルトの異常偏りに対する応急手当として強制舵取りを行う場合には、ハンドル13を操作してホルダ５を旋回させて、複数のキー穴11のうち適正な旋回角度位置に相応するもの（適合穴という）をキー14の直下に位置せしめ、キーレバー15をキーストッパ17のΓ字型穴下端側に預ける。このごく簡単な操作により、キーガイド18のキー摺動穴内にあるキー14が下方に摺動してキー14下端部が適合穴に嵌まり込むこととなり、ホルダ５は適正な旋回角度位置に固定される。
【００１３】
上記の操作要領例からも明らかなように、本発明によれば、強制舵取り作業において、回転中のローラから十分に離れた位置でローラホルダの旋回角度位置設定作業を完遂でき、また、その作業自体も従来の縛着と比べて格段に容易化されるので、当該作業の安全性を確実なものとすることができる。
なお、強制舵取り状態での操業中は、サイドローラの位置も固定されるため、ベルトがサイドローラで擦られて損耗する可能性が高い。そのため、強制舵取り作業時には、サイドローラを取り外すことが好ましい。このサイドローラ取り外しを迅速に行えるように、サイドローラとリンクとは、例えばラッチ式、ピン止め式、カップリング式等々のような、着脱容易な結合方式を用いて連結しておくことが好ましい。
【００１４】
【実施例】
高炉にコークスを搬送するベルトコンベアラインに使用されているコンベア調芯器に対して本発明を適用した。適用形態は、リターン側については図１の形態とし、キャリア側については図１においてリターンローラ３、ホルダ5bをキャリアローラ２、ホルダ5a（図２）で置換した形態とした。なお、サイドローラとリンクとは、着脱容易な六角ボルト式で連結した。
【００１５】
その結果、強制舵取り作業において、従来採用していた縛着が不要となり、縛着における回転中のローラの近傍位置でローラホルダに番線を巻き付けるという危険作業を回避することができて、安全性の確保が達成された。また、強制舵取り作業自体が格段に容易化し、作業能率（作業所要時間の逆数）が従来の１／20に向上した。
【００１６】
【発明の効果】
本発明によれば、ベルトコンベアの強制舵取り作業の安全性が確保でき、また、作業能率が格段に向上するという優れた効果を奏する。
【図面の簡単な説明】
【図１】リターン側に適用した本発明例を示す模式図である。
【図２】コンベア調芯器の従来例を示す模式図である。
【図３】縛着の例を示す側面模式図である。
【符号の説明】
１  ベルト（コンベアベルト）
２  キャリアローラ
３  リターンローラ
４  スタンドフレーム
５  ホルダ（ローラホルダ；a=キャリア側、b=リターン側）
６  回転ブラケット
７  サイドローラ
８  リンク
９  プーリ（ベルトプーリ）
10  番線（針金）
11  キー穴
12  キー穴列保有具
13  ハンドル
14  キー
15  キーレバー
16  キー保持具
17  キーストッパ
18  キーガイド
20  ベルト進行方向（キャリア側）
21  ベルト進行方向（リターン側）
22  ローラ旋回方向
【図１】
0003676210.tif 000002
【図２】
0003676210.tif 000003
【図３】
0003676210.tif 000004